(57)【特許請求の範囲】
【請求項１】
中水が貯留される中水貯留槽と、
前記中水貯留槽に貯留されている中水の水位を計測する第１水位計と、
前記中水貯留槽から汲み上げた中水が貯水される中水タンクと、
前記中水タンクに貯留されている中水の水位を計測する第２水位計と、
前記中水貯留槽から前記中水タンクに中水を汲み上げる揚水ポンプと、
前記中水タンクから当該中水を利用する施設である中水利用施設への中水の供給を制御する電磁バルブと、
前記第１水位計又は前記第２水位計の計測値を取得し、前記中水利用施設について時間ごとの中水の利用予約を受け付けて記憶し、前記利用予約に応じて前記揚水ポンプ又は前記電磁バルブを制御して前記中水利用施設への中水の供給を制御する情報処理装置と
を備えることを特徴とする中水利用管理システム。
【請求項２】
請求項１に記載の中水利用管理システムであって、
前記情報処理装置は、
夫々に優先順位が付与された複数の前記中水利用施設について前記利用予約を記憶し、
前記中水タンクの水位が第１閾値以上である場合には、現在が前記利用予約された時刻になっている前記中水利用施設に中水を供給し、  
前記中水タンクの水位が前記第１閾値未満かつ第２閾値以上である場合には、現在が前記利用予約された時刻になっている前記中水利用施設のうち優先順位がｎ番目までの前記中水利用施設に中水を供給し、
前記中水タンクの水位が前記第２閾値未満かつ第３閾値以上である場合には、現在が前記利用予約された時刻になっている前記中水利用施設のうち優先順位がｍ番目までの前記中水利用施設に中水を供給する
ことを特徴とする中水利用管理システム。
【請求項３】
請求項１又は２のいずれか一項に記載の中水利用管理システムであって、
前記中水貯留槽に流入する中水のエネルギーによって発電する水力発電機と、
前記水力発電機によって発電された電力を貯蔵する電力貯蔵装置と、
前記水力発電機及び前記電力貯蔵装置から電力利用設備への電力の供給制御を行うパワーコンディショナと
を備え、
前記情報処理装置は、前記水力発電機の現在の出力を取得し、取得した前記現在出力に応じて、前記電力利用設備に供給する電力として、前記水力発電機の出力、前記電力貯蔵装置に貯蔵されている電力、及び商用電力のうち少なくともいずれかを前記電力利用設備に供給する電力として選択する
ことを特徴とする中水利用管理システム。
【請求項４】
請求項１乃至３のいずれか一項に記載の中水利用管理システムであって、
前記中水貯留槽に流入する中水のエネルギーによって発電する水力発電機と、
前記水力発電機によって発電された電力を貯蔵する電力貯蔵装置と、
前記水力発電機及び前記電力貯蔵装置から電力利用設備への電力の供給制御を行うパワーコンディショナと
を備え、
前記情報処理装置は、
前記水力発電機の現在の出力を取得し、取得した前記現在出力に応じて、前記電力利用設備に供給する電力として、前記水力発電機の出力、前記電力貯蔵装置に貯蔵されている電力、及び商用電力のうちの少なくともいずれかを前記電力利用設備に供給する電力として選択し、
現在の電気料金を取得し、取得した前記電気料金が所定の買電基準値以下である場合にのみ、前記電力利用設備に供給する電力として前記商用電力を選択する
ことを特徴とする中水利用管理システム。
【請求項５】
請求項１乃至４のいずれか一項に記載の中水利用管理システムであって、
前記中水貯留槽に流入する中水のエネルギーによって発電する水力発電機と、
前記水力発電機によって発電された電力を貯蔵する電力貯蔵装置と、
前記水力発電機及び前記電力貯蔵装置から電力利用設備への電力の供給制御、及び前記電力貯蔵装置に貯蔵されている電力の売電制御を行うパワーコンディショナと
を備え、
前記情報処理装置は、
前記水力発電機の現在の出力を取得し、取得した前記現在出力に応じて、前記電力利用設備に供給する電力として、前記水力発電機の出力、前記電力貯蔵装置に貯蔵されている電力、及び商用電力のうちの少なくともいずれかを前記電力利用設備に供給する電力として選択し、
前記電力貯蔵装置に貯蔵されている電力が所定の閾値以上である場合は前記パワーコンディショナを制御して売電を行う
ことを特徴とする中水利用管理システム。
【請求項６】
請求項１乃至５のいずれか一項に記載の中水利用管理システムであって、
前記中水タンクは、常温の中水が貯水される常温中水タンク、及び加温装置によって所定の温度に加温された中水が貯水される温中水タンクのうちの少なくともいずれかであり、
前記電力利用設備は、前記揚水ポンプ、前記電磁バルブ、及び前記加温装置のうちの少なくともいずれかである
ことを特徴とする中水利用管理システム。
【請求項７】
請求項１乃至６のいずれか一項に記載の中水利用管理システムであって、
前記情報処理装置は、電力利用設備における消費電力を計測し、計測した前記消費電力を通信可能に接続された他の装置に送信する、スマートメータを用いて構成される
ことを特徴とする中水利用管理システム。
【発明の詳細な説明】
【技術分野】
【０００１】
この発明は、貯留設備に貯留された雨水等の中水を有効利用するための中水利用システムに関する。
【背景技術】
【０００２】
特許文献１には、雨水または中水を有効に利用できる形態で保存すべく、雨水または中水を被処理水として収容する電解槽と、電解槽内に設置された電極対と、電極対に対し、電解槽内の被処理水に対して次亜塩素酸が生成されるような電解処理を実行させるための電力の供給に関する制御動作を実行する制御手段とを含む水処理システムについて開示されている。
【０００３】
特許文献２には、一般住宅において、雨水の有効利用を図るべく、下部タンクより横タンクに揚水する揚水ポンプを設け、雨水が少ない場合に下部タンクより横タンクへ揚水可能とし、該揚水ポンプは直流電流により駆動可能なポンプとし、庭園池に池内に噴水させる噴水ポンプを設け、噴水ポンプを直流電流により駆動可能なポンプとし、両ポンプを太陽電池に直結し、太陽電池が発電する直流電流を切り換えて、揚水ポンプと噴水ポンプを駆動可能とし、太陽電池Ｄが一定電圧以上に発電している際にのみポンプにより揚水させるように構成した雨水利用システムが開示されている。
【先行技術文献】
【特許文献】
【０００４】
【特許文献１】特開２００６−２０５００９号公報
【特許文献２】特開平９−２４２１３０号公報
【発明の概要】
【発明が解決しようとする課題】
【０００５】
昨今、記録的豪雨やゲリラ豪雨等による浸水被害を防ぐため、都市部の地下などの随所に中水の貯留設備が設置されている。しかし現状では、多くの貯留設備において、貯留されている中水は河川等が氾濫しない程度に時間をかけて放流しているに過ぎず、必ずしも中水が有効に利用されているとはいえない。
【０００６】
本発明はこのような背景に鑑みてなされたもので、貯留設備等に貯留される中水を有効に利用することが可能な中水利用管理システムを提供することを目的とする。  
【課題を解決するための手段】
【０００７】
上記目的を達成するための本発明の一つは、中水利用管理システムであって、中水が貯留される中水貯留槽と、前記中水貯留槽に貯留されている中水の水位を計測する第１水位計と、前記中水貯留槽から汲み上げた中水が貯水される中水タンクと、前記中水タンクに貯留されている中水の水位を計測する第２水位計と、前記中水貯留槽から前記中水タンクに中水を汲み上げる揚水ポンプと、前記中水タンクから当該中水を利用する施設である中水利用施設への中水の供給を制御する電磁バルブと、前記第１水位計又は前記第２水位計の計測値を取得し、前記中水利用施設について時間ごとの中水の利用予約を受け付けて記憶し、前記利用予約に応じて前記揚水ポンプ又は前記電磁バルブを制御して前記中水利用施設への中水の供給を制御する情報処理装置と、を備えることとする。
【０００８】
本発明によれば、時間ごとになされた利用予約に応じて雨水等の中水を適切に中水利用施設に供給することができる。これによれば中水を有効に利用することができる。
【０００９】
また本発明のうちの他の一つは、上記中水利用管理システムであって、前記情報処理装置は、夫々に優先順位が付与された複数の前記中水利用施設について前記利用予約を記憶し、前記中水タンクの水位が第１閾値以上である場合には、現在が前記利用予約された時刻になっている前記中水利用施設に中水を供給し、前記中水タンクの水位が前記第１閾値未満かつ第２閾値以上である場合には、現在が前記利用予約された時刻になっている前記中水利用施設のうち優先順位がｎ番目までの前記中水利用施設に中水を供給し、前記中水タンクの水位が前記第２閾値未満かつ第３閾値以上である場合には、現在が前記利用予約された時刻になっている前記中水利用施設のうち優先順位がｍ番目までの前記中水利用施設に中水を供給することとする。
【００１０】
本発明によれば、中水タンクの水位が減ってきた場合に中水利用施設ごとに設定された優先順位に応じて中水タンクの中水の中水利用施設への供給を適切に制御することができる。
【００１１】
本発明のうちの他の一つは、上記中水利用管理システムであって、前記中水貯留槽に流入する中水のエネルギーによって発電する水力発電機と、前記水力発電機によって発電された電力を貯蔵する電力貯蔵装置と、前記水力発電機及び前記電力貯蔵装置から電力利用設備への電力の供給制御を行うパワーコンディショナとを備え、前記情報処理装置は、前記水力発電機の現在の出力を取得し、取得した前記現在出力に応じて、前記電力利用設備に供給する電力として、前記水力発電機の出力、前記電力貯蔵装置に貯蔵されている電力、及び商用電力のうち少なくともいずれかを前記電力利用設備に供給する電力として選択することとする。
【００１２】
本発明によれば、水力発電機の現在出力に応じて、電力利用設備に供給する電力として、水力発電機の出力、電力貯蔵装置に貯蔵されている電力、及び商用電力を適切に選択することができる。
【００１３】
本発明のうちの他の一つは、上記中水利用管理システムであって、前記中水貯留槽に流入する中水のエネルギーによって発電する水力発電機と、前記水力発電機によって発電された電力を貯蔵する電力貯蔵装置と、前記水力発電機及び前記電力貯蔵装置から電力利用設備への電力の供給制御を行うパワーコンディショナとを備え、前記情報処理装置は、前記水力発電機の現在の出力を取得し、取得した前記現在出力に応じて、前記電力利用設備に供給する電力として、前記水力発電機の出力、前記電力貯蔵装置に貯蔵されている電力、及び商用電力のうちの少なくともいずれかを前記電力利用設備に供給する電力として選択し、現在の電気料金を取得し、取得した前記電気料金が所定の買電基準値以下である場合にのみ、前記電力利用設備に供給する電力として前記商用電力を選択することとする。
【００１４】
本発明によれば、水力発電機の現在出力に応じて、電力利用設備に供給する電力として、水力発電機の出力、電力貯蔵装置に貯蔵されている電力、及び商用電力を適切に選択することができる。また電気料金が買電基準値以下である場合にのみ、電力利用設備に供給する電力として商用電力が選択されるので、商用電力からの買電量を適切に抑えつつ、電力利用設備への電力供給を効率よく行うことができる。
【００１５】
本発明のうちの他の一つは、上記中水利用管理システムであって、前記中水貯留槽に流入する中水のエネルギーによって発電する水力発電機と、前記水力発電機によって発電された電力を貯蔵する電力貯蔵装置と、前記水力発電機及び前記電力貯蔵装置から電力利用設備への電力の供給制御、及び前記電力貯蔵装置に貯蔵されている電力の売電制御を行うパワーコンディショナとを備え、前記情報処理装置は、前記水力発電機の現在の出力を取得し、取得した前記現在出力に応じて、前記電力利用設備に供給する電力として、前記水力発電機の出力、前記電力貯蔵装置に貯蔵されている電力、及び商用電力のうち少なくともいずれかを前記電力利用設備に供給する電力として選択し、前記電力貯蔵装置に貯蔵されている電力が所定の閾値以上である場合は前記パワーコンディショナを制御して売電を行うこととする。
【００１６】
本発明によれば、水力発電機の現在出力に応じて、電力利用設備に供給する電力として、水力発電機の出力、電力貯蔵装置に貯蔵されている電力、及び商用電力を適切に選択することができる。また電力貯蔵装置に貯蔵されている電力に余力がある場合には売電を行うことができる。
【００１７】
尚、前記中水タンクは、例えば、常温の中水が貯水される常温中水タンク、及び加温装置によって所定の温度に加温された中水が貯水される温中水タンクのうちの少なくともいずれかであり、前記電力利用設備は、例えば、前記揚水ポンプ、前記電磁バルブ、及び前記加温装置のうちの少なくともいずれかであることとする。
【００１８】
また情報処理装置は、例えば、電力利用設備における消費電力を計測し、計測した前記消費電力を通信可能に接続された他の装置に送信するスマートメータを用いて構成することができる。
【００１９】
その他、本願が開示する課題、及びその解決方法は、発明を実施するための形態の欄、及び図面により明らかにされる。
【発明の効果】
【００２０】
本発明によれば、貯留設備等に貯留される中水を有効に利用することができる。
【図面の簡単な説明】
【００２１】
【図１】中水利用管理システム１の概略的な構成を示す図である。
【図２】中水道施設３及び中水利用施設４の具体例を示す図である。
【図３】クライアント装置１０のハードウエアを示す図である。
【図４】サーバ装置２０のハードウエアを示す図である。
【図５】クライアント装置１０の機能を示す図である。
【図６】サーバ装置２０の機能を示す図である。
【図７】センサ情報のデータフォーマットを示す図である。
【図８】障害情報のデータフォーマットを示す図である。
【図９】情報表示部２０２が表示装置２６に表示する一覧画面９００である。
【図１０】情報表示部２０２が表示装置２６に表示する詳細画面１０００である。
【図１１】サーバ装置２０が表示装置２６に表示する画面の一例である。
【図１２】中水供給処理Ｓ１２００を説明するフローチャートである。
【図１３】電力制御処理Ｓ１３００を説明するフローチャートである。
【発明を実施するための形態】
【００２２】
以下、実施形態につき図面を参照しつつ詳細に説明する。
図１に本発明の実施形態として説明する中水利用管理システム１の概略的な構成を示している。中水利用管理システム１は、国や地方公共団体、もしくはこれらの者から委託された事業者等（以下、中水道管理者２と称する。）によって管理されている中水道施設３、中水道施設３から供給される雨水や家庭からの排水（以下、中水と称する。）を利用する施設（以下、中水利用施設４と称する。）、中水道施設３又は中水利用施設４に付設されるクライアント装置１０（情報処理装置）、中水道管理者２などによって運用され、通信ネットワーク５（インターネット、専用線、公衆通信網、電力線通信等）を介してクライアント装置１０（情報処理装置）と通信可能に接続するサーバ装置２０を含んで構成されている。
【００２３】
中水道施設３は、例えば、中水の取水施設、中水の貯水施設、中水の導水施設、中水の再生処理施設、中水の送水施設、中水の配水施設、中水の給水施設等である。一方、中水利用施設４は、中水の需要（利用）が見込まれる、学校、庁舎、オフィスビル、工場建物、一般家庭等であり、より具体的には、水洗トイレ、樹木撒水施設、床暖房施設、結露防止施設等である。
【００２４】
図２に中水道施設３及び中水利用施設４の具体例を示している。同図において、中水道施設３は、中水が貯留される中水貯留槽３１、中水貯留槽３１に中水を導く側溝や中水道等の中水導入溝３２、中水貯留槽３１に貯留されている水を河川等に排出する中水排出溝３３、中水導入溝３２や中水排出溝３３を流れる中水のエネルギーを利用して発電を行うマイクロ水力発電機３４等の施設を含む。
【００２５】
一方、中水利用施設４は、常温の中水（以下、常温中水と称する。）が貯水される常温中水タンク４１、所定温度に保持される中水（以下、温中水と称する。）が貯水される温中水タンク４２（蓄熱槽）、温中水タンク４２に貯水されている温中水を加温するヒートポンプ等の加温装置４３、中水貯留槽３１に貯留されている中水を常温中水タンク４１又は温中水タンク４２に汲み上げる揚水ポンプ４４、常温中水タンク４１又は温中水タンク４２への水（中水又は上水）の供給、常温中水タンク４１又は温中水タンク４２から中水利用施設４に設けられている中水利用設備（不図示）への中水又は上水の供給を制御する電磁バルブ４５、マイクロ水力発電機３４によって発電された電力や各種の余剰電力を貯蔵する電力貯蔵装置４６、及び電力の供給制御や商用電力系統との間の買電／売電を制御するパワーコンディショナ４７等の施設を含む。
【００２６】
電力貯蔵装置４６は、マイクロ水力発電機３４によって発電された電力を貯蔵（蓄電）する。電力貯蔵装置４６の蓄電要素としては、例えば、二次電池（鉛蓄電池、レドックスフロー電池、ナトリウム硫黄電池（ＮＡＳ電池）、ニッケル水素電池、リチウムイオン電池）、電気二重層キャパシタ、フライホイール、超電導電力貯蔵装置（ＳＭＥＳ：Superconducting Magnetic Energy Storage）等がある。
【００２７】
パワーコンディショナ４７は、マイクロ水力発電機３４によって発電された電力の調整（電圧変換、直交／交直変換）や中水道施設３又は中水利用施設４における余剰電力の商用電力系統等への売電に関する制御、中水道施設３又は中水利用施設４における各種電気設備（以下、電力利用設備と称する。）への不足電力の商用電力系統等からの買電に関する制御を行う。尚、電力利用設備には、前述した揚水ポンプ４４、電磁バルブ４５、加温装置４３、パワーコンディショナ４７、クライアント装置１０等がある。
【００２８】
同図に示すように、中水導入溝３２には、中水貯留槽３１に流入する中水の流量を計測する流量計３２１が設けられている。また中水貯留槽３１には、当該中水貯留槽３１に貯留されている中水の量を計測する水位計３１１（第１水位計）が設けられている。
【００２９】
また常温中水タンク４１には、当該常温中水タンク４１に貯留されている常温中水の量を計測する水位計（以下、常温中水量センサ４１１（第２水位計）と称する。）、当該常温中水タンク４１に貯留されている常温中水の温度を計測する温度センサ（以下、常温中水温度センサ４１２（不図示）と称する。）、及び中水利用設備への常温中水の供給量を計測する流量センサ（以下、常温中水供給量センサ４１３（不図示）と称する。）が設けられている。尚、常温中水タンク４１は、記録的豪雨やゲリラ豪雨等による中水の大量発生により中水貯留槽３１に流入する中水が許容量を超えた場合、中水のバックアップ先（補助的な貯水槽）として機能する。
【００３０】
温中水タンク４２には、当該温中水タンク４２に貯留されている温中水の量を計測する水位計（以下、温中水量センサ４２１（第２水位計）と称する。）、当該温中水タンク４２に貯留されている温中水の温度を計測する温度センサ（以下、温中水温度センサ４２２（不図示）と称する。）、及び中水利用設備への温中水の供給量を計測する流量センサ（以下、温中水供給量センサ４２３（不図示）と称する。）が設けられている。尚、温中水タンク４２は、ゲリラ豪雨等で中水貯留槽３１に流入する中水が許容量を超えるような場合にバックアップ先（補助的な貯水槽）として機能する。
【００３１】
電力貯蔵装置４６には、当該電力貯蔵装置４６に貯蔵されている電力量を計測する貯蔵電力量センサ４６１（不図示）が設けられている。マイクロ水力発電機３４には、当該マイクロ水力発電機３４の発電量を計測する発電量センサ３４１（不図示）が設けられている。
【００３２】
パワーコンディショナ４７には、売電した電力量を計測する売電力量計４７１（不図示）、買電した電力量を計測する買電力量計４７２（不図示）、中水道施設３及び中水利用施設４の各種電力利用設備にて消費される電力量を計測する消費電力量計４７３（不図示）、夫々設けられている。尚、以下の説明において、以上に説明したセンサや計測器のことを各種センサと称する。各種センサはクライアント装置１０と通信可能（電気的、磁気的、もしくは光学的）に接続されている。
【００３３】
中水道施設３及び中水利用施設４に設けられている各種設備には、夫々の設備における障害に関する情報をクライアント装置１０に提供する回路（以下、障害通知装置と称する。）が実装されている。例えば、揚水ポンプ４４には、当該揚水ポンプ４４に生じている障害をクライアント装置に提供する障害通知装置が、電磁バルブ４５には、当該電磁バルブ４５に生じている障害をクライアント装置１０に提供する障害通知装置が、マイクロ水力発電機３４には、当該マイクロ水力発電機３４に生じている障害をクライアント装置１０に提供する装置が、加温装置４３には、当該加温装置４３に生じている障害をクライアント装置１０に提供する障害通知装置が、夫々実装されている。
【００３４】
中水道施設３及び中水利用施設４に設けられている各種電力利用設備には、クライアント装置１０からの指示に応じて自身の機能を制御する装置(以下、制御装置と称する。）が実装されている。例えば、加温装置４３には、クライアント装置１０からの指示に応じて当該加温装置４３の機能を制御する装置が、揚水ポンプ４４には、クライアント装置１０からの指示に応じて当該揚水ポンプ４４の機能を制御する装置が、電磁バルブ４５には、クライアント装置１０からの指示に応じて当該電磁バルブ４５の開閉を制御する装置が、パワーコンディショナ４７には、クライアント装置１０からの指示に応じて当該パワーコンディショナ４７の機能を制御する装置が実装されている。
【００３５】
図３に中水道施設３又は中水利用施設４に設けられるクライアント装置１０のハードウエアを示している。同図に示すように、クライアント装置１０は、中央処理装置１１、主記憶装置１２（ＲＡＭ、ＲＯＭ等）、計時装置１３、通信装置１４、計測装置１５、及び表示装置１６を備えている。尚、電力量の計測に用いられるスマートメータ（Smart Meter）のハードウエアをクライアント装置１０のハードウエアの全部又は一部として利用することができる。
【００３６】
中央処理装置１１は、例えば、ＣＰＵ（Central Processing Unit）やＭＰＵ（Micro Processing Unit）等を用いて構成されている。中央処理装置１１は、主記憶装置１２に格納されているプログラムを読み出して実行することにより、当該クライアント装置１０の様々な機能を実現する。主記憶装置１２は、揮発性又は不揮発性の記録媒体（ＲＡＭ、ＲＯＭ等）を用いて構成されている。主記憶装置１２にはプログラムやデータが格納される。
【００３７】
計時装置１３は、ＲＴＣ（Real Time Clock）等を用いて構成されている。計時装置１３は、現在日時や経過時間など時間に関する情報を提供する。通信装置１３は、ＮＩＣ（Network Interface Card）、通信モジュール（ＺｉｇＢｅｅ、Ｗ−ＬＡＮ（WirelessLAN）、ＳＬＰＲ（Specified Low Power Radio）、ＰＬＣ（Power Line Communication）、Ｂｌｕｅｔｏｏｔｈ等のモジュール）等を用いて構成されている。通信装置１３は、有線通信又は無線通信によって近距離又は遠隔地に設けられた他の装置（サーバ装置を含む）と通信する。
【００３８】
計測装置１４は、中水道施設３又は中水利用施設４に設けられている各種センサの情報を取得する通信インタフェース（ＵＳＢ（Universal Serial Bus）、ＲＳ−２３２Ｃ、ＧＰＩＢ（General Purpose Interface Bus）等）、各種センサから送られてくるアナログの計測値をデジタル値に変換するＡ／Ｄコンバータ等を備える。計測装置１４は、各種センサから送られてくる計測値を主記憶装置１２に随時格納する。表示装置１６は、液晶パネルやＬＥＤ表示器（LED:Light Emitting Diode）等である。表示装置１６は、各種センサから送られてくる計測値やそれら計測値に基づき求めた計量値等の様々な情報を表示する。
【００３９】
図４にサーバ装置２０のハードウエアを示している。同図に示すように、サーバ装置２０は、中央処理装置２１、主記憶装置２２、計時装置２３、通信装置２４、入力装置２５、表示装置２６、計時装置２７、及び補助記憶装置２８を備えている。
【００４０】
中央処理装置２１は、ＣＰＵやＭＰＵ等を用いて構成されている。中央処理装置２１は、主記憶装置２２に格納されているプログラムを読み出して実行することにより、当該サーバ装置２０の様々な機能を実現する。主記憶装置２２は、揮発性又は不揮発性の記録媒体（ＲＡＭ、ＲＯＭ等）を用いて構成されている。主記憶装置２２にはプログラムやデータが格納される。
【００４１】
計時装置２３はＲＴＣ等を用いて構成されている。計時装置２３は現在日時や経過時間など時間に関する情報を提供する。通信装置２４はＮＩＣや通信モジュール（Ｗ−ＬＡＮ、ＳＬＰＲ、ＰＬＣ等のモジュール）を用いて構成されている。通信装置２４は有線通信又は無線通信方式によりクライアント装置１０と通信する。
【００４２】
入力装置２５はキーボードやマウス等の入力インタフェースである。表示装置２６は液晶モニタ等である。補助記憶装置２７はハードディスクやＳＳＤ（Solid State Drive）等の不揮発性かつ大容量の記憶装置である。
【００４３】
図５にクライアント装置１０の機能を示している。同図に示すように、クライアント装置１０は、情報取得部１０１、情報送信部１０２、制御情報受信部１０３、及び装置制御部１０４の各機能を備えている。これらの機能は、クライアント装置１０が備えるハードウエアによって、もしくは、クライアント装置１０の中央処理装置１１が、主記憶装置１２に格納されているプログラムを読み出して実行することにより実現される。これらの機能は、単体のクライアント装置１０によって実現してもよいし、複数のクライアント装置１０を用いて実現するようにしてもよい。
【００４４】
情報取得部１０１は、センサ情報取得部１０１１及び障害情報取得部１０１２を備える。センサ情報取得部１０１１は、各種センサから送られてくる信号を受信し、受信した信号に基づく情報（以下、センサ情報と称する。）を主記憶装置１２に格納する。障害情報取得部１０１２は、各種障害通知装置から送られてくる情報(以下、障害情報と称する。）を受信し、受信した障害情報を主記憶装置１２に格納する。
【００４５】
情報送信部１０２は、主記憶装置１２に格納されているセンサ情報や障害情報をサーバ装置２０に随時送信する。
【００４６】
制御情報受信部１０３は、サーバ装置２０から送られてくる、中水道施設３や中水利用施設４に設けられている各種設備の制御指示を含んだ情報である制御情報を受信し、受信した制御情報を主記憶装置１２に格納する。
【００４７】
装置制御部１０４は、主記憶装置１２に格納されている制御情報を読み出し、制御情報に従って中水道施設３や中水利用施設４に設けられている制御対象を制御する。装置制御部１０４は、揚水ポンプ制御部１０４１、電磁バルブ制御部１０４２、加温装置制御部１０４３、及びパワコン制御部１０４４を備えている。
【００４８】
揚水ポンプ制御部１０４１は、揚水ポンプ４４を制御する。電磁バルブ制御部１０４２は、常温中水タンク４１に貯水されている常温中水もしくは温中水タンク４２に貯水されている温中水の、中水利用施設４への供給を制御する。また電磁バルブ制御部１０４２は、上水の中水利用施設４への供給を制御する。
【００４９】
図６にサーバ装置２０の機能を示している。同図に示すように、サーバ装置２０は、情報受信部２０１、情報表示部２０２、中水利用予約処理部２０３、揚水管理部２０５、温中水温度管理部２０６、中水供給管理部２０７、電力選択処理部２０８、及び制御情報送信部２０９を備える。これらの機能は、サーバ装置２０が備えるハードウエアによって、もしくは、サーバ装置２０の中央処理装置２１が、主記憶装置２２に格納されているプログラムを読み出して実行することにより実現される。また同図に示すように、サーバ装置２０は予約情報データベース２２０を管理している。
【００５０】
情報受信部２０１は、クライアント装置１０から送られてくるセンサ情報や障害情報を受信し、受信したセンサ情報や障害情報を主記憶装置２２や補助記憶装置２７に格納する。
【００５１】
図７にサーバ装置２０がクライアント装置１０から受信するセンサ情報のデータフォーマットを示している。同図に示すように、センサ情報７００には、当該センサ情報７００を送信したクライアント装置１０を特定する識別子であるクライアントＩＤ７１１、当該センサ情報７００を送信したクライアント装置１０が設けられている中水道施設３又は中水利用施設４を特定する識別子である施設ＩＤ７１２、当該センサ情報７００の生成元のセンサを特定する識別子であるセンサＩＤ７１３、センサから取得した情報（以下、センサ取得値と称する。）が設定されるセンサ取得値７１４、及びセンサ取得値がセンサによって取得された日時が設定される取得日時７１５等の情報が含まれている。
【００５２】
図８にサーバ装置２０がクライアント装置１０から受信する障害情報のデータフォーマットを示している。同図に示すように、障害情報８００には、当該障害情報８００を送信したクライアント装置１０を特定する識別子であるクライアントＩＤ８１１、当該障害情報８００を送信したクライアント装置１０が設けられている中水道施設３又は中水利用施設４を特定する識別子である施設ＩＤ８１２、当該障害情報８００の生成元の設備を特定する識別子である設備ＩＤ８１３、設備から取得した情報（以下、障害内容と称する。）が設定される障害内容８１４、及び障害内容が取得された日時が設定される取得日時８１５等の情報が含まれている。
【００５３】
図６に示す情報表示部２０２は、クライアント装置１０から受信したセンサ情報や障害情報に基づき、中水道施設３や中水利用施設４の監視や制御に際して中水道管理者２等によって参照される画面を生成し、生成した画面をサーバ装置２０の表示装置２６に表示する。
【００５４】
図９は情報表示部２０２が表示装置２６に表示する画面の一例である。同図に示すように、この画面（以下、一覧画面９００と称する。）には、中水道施設３や中水利用施設４に関する情報が一覧形式で表示されている。同図において、買電基準９０１には、買電する電気の最高値（電力貯蔵残量があっても商用電力系統から買電するか否かを判断するための基準値（以下、買電基準値と称する。）である。この買電基準値は、例えば中水道管理者２等により設定される。）が表示される。現在の電気料金９０２には、商用電力系統の現在の電気料金が表示される。尚、この値は例えばインターネット等を通じて電力会社等の商用電力系統の運営組織から随時取得する。
【００５５】
設備名９１１には中水道施設３の名称が設定される。貯留量９１１には、当該中水道施設３（中水貯留槽３１）に現在貯留されている中水の量が表示される。貯留余量９１２には、当該中水道施設３（中水貯留槽３１）の現在の貯留余量（更に貯留可能な中水の量）が表示される。流入量９１４には、当該中水道施設３（中水貯留槽３１）への現在の単位時間当たりの中水の流入量が表示される。貯水量９１５には、常温中水タンク４１の現在の貯水量が表示される。貯水余量９１６には、常温中水タンク４１の現在の貯水余量（更に貯水可能な中水の量）が表示される。貯温水量９１７には、温中水タンク４２の現在の貯水量が表示される。温水余量９１８には、温中水タンク４２の現在の貯水余量（更に貯水可能な温中水の量）が表示される。発電量９１９には、マイクロ水力発電機３４の現在の発電量が表示される。電力貯蔵量９２０には、電量貯蔵装置４６の現在の蓄電量が表示される。溢水警報９２１には、当該中水道施設３における溢水の有無を示す情報が表示される。
【００５６】
図１０は情報表示部２０２が表示装置２６に表示する画面（以下、詳細画面１０００と称する。）の他の例である。詳細画面１０００は、例えば、一覧画面９００において特定のレコードを選択する操作を行うことにより表示される。
【００５７】
同図に示すように、詳細画面１０００には、一覧画面９００に表示される情報に加えて、中水の排水先となる河川の水位１００１、揚水ポンプ４４の動作状態１００２、加温装置４３の動作状態１００３、警報情報１００４（溢水発生の有無、貯留槽渇水の有無、揚水ポンプ４４の障害有無、電磁バルブ４５の障害有無、マイクロ水力発電機３４の障害有無、加温装置４３の障害有無等）、中水道施設３及び中水利用施設４に関する様々な情報が表示される。
【００５８】
図６に示す中水利用予約処理部２０３は、中水の利用予約に関する処理を行う。図１１は、中水道管理者２等が中水の利用予約を行う際、サーバ装置２０が表示装置２６に表示する画面の一例である。同図に示すように、この画面（以下、中水利用予約画面１１００と称する。）には、追加予約可能目安表示欄１１１１、詳細表示欄１１１２、利用施設新規登録ボタン１１１３、利用施設登録内容修正ボタン１１１４、利用予約新規登録ボタン１１１５、及び利用予約修正ボタン１１１６が設けられている。
【００５９】
追加予約可能量目安１１１１には、追加予約が可能な中水の量の概算値（以下、追加予約目安と称する。）が表示される。尚、サーバ装置２０は、例えば次の式から追加予約目安を求める。
追加予約可能量目安（ｍ３／時間）＝（過去３０分の流入量（ｍ３／分）の平均値×６０）＋（貯留量／４８）−予約されている利用量目安（ｍ３／時間）の合計
【００６０】
詳細表示欄１１１２には、中水や上水を利用する施設に関する情報、及び各施設の中水の利用予約の状況が一覧表示される。同図に示すように、詳細表示欄１１１２に表示される各レコードは、利用施設名１１２１、利用量目安１１２２、利用水温１１２３、中水不足時の対応１１２４、優先順位１１２５、及び予約状況１１２６の各項目を有する。
【００６１】
利用施設名１１２１には、中水利用施設４の名称が表示される。利用量目安１１２２には、その施設の利用量の概算値（以下、利用量目安と称する。）が表示される。利用水温１１２３には、その中水利用施設４が利用する中水の温度（利用時に保持されている必要のある中水の温度）が表示される。中水不足時の対応１１２４には、中水の供給が不足する場合の対応を示す情報が表示される。優先順位１１２５には、各中水利用施設４に中水を割り当てる際の優先順位を示す情報が表示される。予約状況１１２６には、その中水利用施設４の中水の利用予約の状況を示す情報が表示される。
【００６２】
画面下部の利用施設新規登録ボタン１１１３は、中水利用施設４を新たに登録する際に選択されるボタンである。中水道管理者２等は、このボタンを選択して中水利用施設４を新たに登録する。利用施設新規登録ボタン１１１３が選択されると、サーバ装置２０は詳細表示欄１１１２に新規にブランクのレコードを生成する。中水道管理者２等は、生成されたレコードに必要な情報を入力することで、中水利用施設４を新たに登録することができる。尚、登録された情報は予約情報データベース２２０に管理される。
【００６３】
利用施設登録内容修正ボタン１１１４は、予約情報データベース２２０に登録されている中水利用施設４の内容を修正する場合に選択される。中水道管理者２等が、詳細表示欄１１１２に表示されているレコードから修正したいレコードを特定した後、このボタンを選択すると、サーバ装置２０は、詳細表示欄１１１２において特定されたレコードについて内容の変更が可能な状態とする。中水道管理者２等は、修正したいレコードの内容を修正した後、所定の操作を行う。この操作を受けて、サーバ装置２０は、修正された内容を予約情報データベース２２０に反映する。
【００６４】
利用施設新規登録ボタン１１１３は、中水の利用予約を行う場合に選択される。中水道管理者２等は、詳細表示欄１１１２に表示されているレコードから、中水の利用予約を行いたいレコードを特定した後、このボタンを選択する。サーバ装置２０は、詳細表示欄１１１２において特定されたレコードの予約状況１１２６の欄を設定可能な状態とする。中水道管理者２等は、予約状況１１２６に予約内容（予約方法、予約日時、予約時間帯等）を設定した後、所定の操作を行う。この操作を受けて、サーバ装置２０は、設定された内容を予約情報データベース２２０に反映する。尚、毎日定時、各週定時、隔月定時、指定日時等、中水の利用予約は様々な形式で行うことができる。
【００６５】
利用予約修正ボタン１１１６は、予約情報データベースに登録されている予約内容を修正する場合に選択される。中水道管理者２等が、詳細表示欄１１１２に表示されているレコードから修正したいレコードを特定した後、このボタンを選択すると、サーバ装置２０は、詳細表示欄１１１２において特定されたレコードについて予約内容の変更が可能な状態とする。中水道管理者２等は、修正したいレコードの内容を修正した後、所定の操作を行う。この操作を受けて、サーバ装置２０は、修正された予約内容を予約情報データベース２２０に反映する。
【００６６】
図６に示す揚水管理部２０５は、常温中水タンク４１に貯水されている中水の残量が所定の閾値以下になると、揚水ポンプ４４及び電磁バルブ４５を制御して、中水貯留槽３１から常温中水タンク４１に中水を汲み上げる。また揚水管理部２０５は、温中水タンク４２に貯水されている温中水の残量が所定の閾値以下になると、揚水ポンプ４４及び電磁バルブ４５を制御して、中水貯留槽３１から温中水タンク４２に中水を汲み上げる。
【００６７】
温中水温度管理部２０６は、温中水タンク４２に貯水されている中水の温度が予め設定された温度に維持されているか否かを監視し、加温が必要な場合は加温装置４３を機能させて温中水タンク４２に貯水されている中水の温度を設定温度に維持する。
【００６８】
中水供給管理部２０７は、予約情報データベースに管理されている予約内容に従い電磁バルブ４５を制御し、常温中水タンク４１又は温中水タンク４２から中水利用施設４に中水を供給する。また中水が不足する場合は中水利用施設４に上水を供給する。
【００６９】
電力選択処理部２０８は、マイクロ水力発電機３４の発電量、消費電力量計４７３の検針値、電力貯蔵装置４６の蓄電量等に応じて、中水道施設３や中水利用施設４に供給する電力（電力貯蔵装置４６に貯蔵されている電力、マイクロ水力発電機３４の発電電力、商用電力系統からの電力等）を選択する。また電力選択処理部２０８は、商用電力系統に売電を行うか、商用電力系統から買電するかの判断や制御を行う。
【００７０】
制御情報送信部２０９は、揚水管理部２０４、温中水温度管理部２０６、中水供給管理部２０７、及び電力選択処理部２０８の夫々によって行われる制御のための制御情報を随時クライアント装置１０に送信する。
【００７１】
＜処理説明＞
次に以上に説明した構成からなる中水利用管理システム１において行われる処理について説明する。
【００７２】
図１２は、サーバ装置２０の中水供給管理部２０７によって行われる、予約情報データベース２２０に管理されている予約内容に従った電磁バルブ４５の制御や、常温中水タンク４１から中水利用施設４に中水又は上水を供給に関する処理(以下、中水供給処理Ｓ１２００と称する。）を説明するフローチャートである。同図に示す処理は、例えば、電磁バルブ４５の制御タイミングが到来したことを契機として実行される。尚、温中水タンク４２から中水利用施設４に中水を供給する処理も基本的に中水供給処理Ｓ１２００と同様の流れで行われる。以下、同図とともに中水供給処理Ｓ１２００について説明する。
【００７３】
サーバ装置２０は、中水供給処理Ｓ１２００の制御タイミングが到来すると（Ｓ１２１１）、常温中水タンク４１に貯水されている中水の残量がゼロか否かを判断する（Ｓ１２１２）。残量がゼロである場合（Ｓ１２１２：ＹＥＳ）、サーバ装置２０は、現在が中水の利用予約時刻である中水利用施設４の中水不足時の対応方法（図１１の符号１１２４の内容）を予約情報データベース２２０から取得する（Ｓ１２１３）。そしてサーバ装置２０は、中水不足時の対応方法が「中止」である中水利用施設４については（Ｓ１２１３：中止）、中水の供給を中止する。またサーバ装置２０は、中水不足時の対応方法が「上水」である中水利用施設４については（Ｓ１２１３：上水）、「上水」の供給を開始する（Ｓ１２１４）。尚、残量がゼロである場合（Ｓ１２１２：ＹＥＳ）、サーバ装置２０は、ポンプ４４及び電磁バルブ４５を制御して中水貯留槽３１から常温中水タンク４１への中水の汲み上げを行う。
【００７４】
一方、常温中水タンク４１に貯水されている中水の残量がゼロでない場合（Ｓ１２１２：ＮＯ）、サーバ装置２０は、常温中水タンク４１の残量が現在どの段階であるかを判断する（Ｓ１２２１）。ここで段階とは、所定の閾値で区分された複数の範囲のことである。本実施形態では、３つの段階（第１段階、第２段階、第３段階）が設けられ、このうち第１段階は第１閾値以上の範囲、第２段階は第１閾値未満かつ第２閾値以上の範囲、第３段階は第２閾値未満第３閾値以上の範囲であるものとする。
【００７５】
もし常温中水タンク４１の残量が第１段階であれば（Ｓ１２２１：第１段階）、サーバ装置２０は、現在が利用予約日時になっている（現在が図１１の１１２６の利用予約時刻に含まれる）全ての中水利用施設４に常温中水タンク４１から中水を供給する（Ｓ１２２２）。
【００７６】
またもし常温中水タンク４１の残量が第２段階であれば（Ｓ１２２１：第２段階）、サーバ装置２０は、現在が利用予約日時になっている（現在が図１１の１１２６の利用予約時刻に含まれる）中水利用施設４のうち、ｎ番目の優先順位までの中水利用施設４に常温中水タンク４１から中水を供給する（Ｓ１２２３）。
【００７７】
また常温中水タンク４１の残量が第３段階であれば（Ｓ１２２１：第３段階）、サーバ装置２０は、現在が利用予約日時になっている（現在が図１１の１１２６の利用予約時刻に含まれる）中水利用施設４のうち、ｍ（＜ｎ）番目の優先順位までの中水利用施設４に常温中水タンク４１から中水を供給する（Ｓ１２２４）。
【００７８】
このように、常温中水タンク４１（又は温中水タンク４２）から中水利用施設４への中水（又は温中水）の供給は、予め設定された予約状況と優先順位とに従って行われる。そのため、中水利用施設４ごとの中水の利用ニーズに応じて、中水を効率よく利用することができる。尚、以上の処理において中水の供給が停止された中水利用施設４に対しては、適宜上水が供給される。
【００７９】
図１３は、サーバ装置２０によって行われる、マイクロ水力発電機３４の発電量、消費電力量計４７３の検針値、電力貯蔵装置４６の蓄電量等に応じて、中水道施設３や中水利用施設４に供給する電力（電力貯蔵装置４６に貯蔵されている電力、マイクロ水力発電機３４の発電電力、商用電力系統からの電力等）の選択や、商用電力系統への売電や商用電力系統からの買電の制御に関する処理（以下、電力制御処理Ｓ１３００と称する。）を説明するフローチャートである。同図に示す処理は、予め設定された制御タイミング（随時、定期的等）が到来したことを契機として実行される。以下、同図とともに電力制御処理Ｓ１３００について説明する。
【００８０】
サーバ装置２０は、予め設定された制御タイミングが到来すると（Ｓ１３１１）、中水道施設３又は中水利用施設４に現在、電力の需要が生じているか否かを判断する（Ｓ１３１２）。電力の需要がある場合は（Ｓ１３１２：ＹＥＳ）、Ｓ１３２１に進み、電力の需要がない場合は（Ｓ１３１２：ＮＯ）、Ｓ１３４１に進む。
【００８１】
Ｓ１３２１では、サーバ装置２０はマイクロ水力発電機３４が現在発電中であるか否かを判断する。発電中であれば（Ｓ１３２１：ＹＥＳ）、Ｓ１３２２に進み、発電中でなければ（Ｓ１３２１：ＮＯ）、Ｓ１３２５に進む。
【００８２】
Ｓ１３２２では、サーバ装置２０は、発電電力が需要を満たしている（余剰である）か、過不足無い状態か、もしくは不足しているか、を判断する。余剰である場合は（Ｓ１３２２：余剰）、Ｓ１３４２に進み、過不足無い状態であれば（Ｓ１３２２：過不足無し）、Ｓ１３２３に進み、不足している場合は（Ｓ１３２２：不足）、Ｓ１３２５に進む。
【００８３】
Ｓ１３２３では、サーバ装置２０は、マイクロ水力発電機３４の発電量のみによって需要を賄う制御を行うことを決定し、パワーコンディショナ４７等を制御してマイクロ水力発電機３４の発電量のみによって需要を賄う状態とするための制御を実行する。その後はＳ１３１１に戻り、サーバ装置２０は次回の制御タイミングを待機する。
【００８４】
Ｓ１３２５では、サーバ装置２０は、現在の電気料金が買電基準値以下であるか否かを判断する。もし現在の電気料金が買電基準値以下であれば（Ｓ１３２５：ＹＥＳ）、サーバ装置２０は、需要を買電電力のみによって賄う制御を行うことを決定し、パワーコンディショナ４７等を制御して需要を買電電力のみによって賄う状態とするための制御を実行する（Ｓ１３２６）。その後はＳ１３１１に戻り、サーバ装置２０は次回の制御タイミングを待機する。
【００８５】
一方、現在の電気料金が買電基準値よりも高ければ（Ｓ１３２５：ＮＯ）、サーバ装置２は、電力貯蔵装置４６に貯蔵されている電力だけで需要を賄えるか否かを判断する（Ｓ１３２７）。電力貯蔵装置４６に貯蔵されている電力だけで需要を賄えると判断した場合（Ｓ１３２７：ＹＥＳ）、サーバ装置２は、電力貯蔵装置４６に貯蔵されている電力だけで需要を賄う制御を行うことを決定し、パワーコンディショナ４７等を制御して、電力貯蔵装置４６に貯蔵されている電力だけで需要を賄う状態とするための制御を実行する（Ｓ１３２８）。その後はＳ１３１１に戻り、サーバ装置２０は次回の制御タイミングを待機する。
【００８６】
一方、電力貯蔵装置４６に貯蔵されている電力だけでは需要を賄えないと判断した場合（Ｓ１３２７：ＮＯ）、サーバ装置２は、電力貯蔵装置４６に貯蔵されている電力、及び買電電力によって需要を賄う制御を行うことを決定し、パワーコンディショナ４７等を制御して、電力貯蔵装置４６に貯蔵されている電力、及び買電電力によって需要を賄う状態とするための制御を実行する（Ｓ１３２９）。その後はＳ１３１１に戻り、サーバ装置２０は次回の制御タイミングを待機する。
【００８７】
一方、Ｓ１３１２から分岐するＳ１３４１では、サーバ装置２０は、マイクロ水力発電機３４が現在発電中であるか否かを判断する。発電中であれば（Ｓ１３４１：ＹＥＳ）、Ｓ１３４２に進み、発電中でなければ（Ｓ１３４１：ＮＯ）、Ｓ１３１１に戻り、サーバ装置２０は次回の制御タイミングの到来を待機する。
【００８８】
Ｓ１３４２では、サーバ装置２０は、電力貯蔵装置４６にさらに電力を貯蔵できるか否かを判断する。貯蔵可能であれば（Ｓ１３４２：ＹＥＳ）、サーバ装置２は、電力貯蔵装置４６にマイクロ水力発電機３４が発電する電力を貯蔵する制御を行うことを決定し、パワーコンディショナ４７等を制御して電力貯蔵装置４６にマイクロ水力発電機３４が発電する電力を貯蔵する状態とするための制御を実行する。その後はＳ１３１１に戻り、サーバ装置２０は次回の制御タイミングを待機する。一方、貯蔵可能でなければ（Ｓ１３４２：ＮＯ）、Ｓ１３４４に進む。
【００８９】
Ｓ１３４４では、サーバ装置２０は、マイクロ水力発電機３４が発電する電力を商用電力系統に売電可能か判断する。売電可能であれば（Ｓ１３４４：ＹＥＳ）、サーバ装置２０は、マイクロ水力発電機３４が発電する電力を売電する制御を行うことを決定し、パワーコンディショナ４７等を制御してマイクロ水力発電機３４が発電する電力の売電を開始する（Ｓ１３４５）。
【００９０】
一方、売電不可能であれば（Ｓ１３４４：ＮＯ）、サーバ装置２０は、マイクロ水力発電機３４が発電する電力を利用して揚水ポンプ４４や蓄熱装置（ヒートポンプ等）を動作させ（負荷創出）、マイクロ水力発電機３４が発電する電力を有効利用する（Ｓ１３４６）。
【００９１】
このように、サーバ装置２０は、電力需要の有無、マイクロ水力発電機３４の発電状態、商用電力系統の現在の電気料金、電力貯蔵装置４６の電力の貯蔵状態（蓄電状態）、商用電力への売電が可能か否か等の様々な条件に基づき電力の供給や利用を行う。このため、マイクロ水力発電機３４によって発電される電力の有効利用を図ることができる。また商用電力系統への売電や商用電力系統からの買電を適切に行うことができる。
【００９２】
またマイクロ水力発電機３４の現在出力に応じて、電力利用設備に供給する電力として、マイクロ水力発電機３４の出力、電力貯蔵装置４６に貯蔵されている電力、及び商用電力を適切に選択することができる。また電気料金が買電基準値以下である場合にのみ、電力利用設備に供給する電力として商用電力が選択されるので、商用電力からの買電量を適切に抑えつつ、電力利用設備への電力供給を効率よく行うことができる。また電力貯蔵装置４６に貯蔵されている電力に余力がある場合には売電を行うことができる。
【００９３】
以上、詳細に説明したように、本実施形態の中水利用管理システム１によれば、利用予約されている中水利用施設４に対して、常温中水タンク４１や温中水タンク４２の水位に応じて中水を供給することができる。また常温中水タンク４１や温中水タンク４２の水位が減ってきた場合には、中水利用施設４ごとに設定された優先順位に応じて中水タンクの中水の中水利用施設４への供給を適切に制御することができる。このように、本実施形態の中水利用管理システム１によれば、雨水等の中水を適切に中水利用施設４に供給することができる。
【００９４】
尚、以上に説明した実施の形態は、本発明の理解を容易にするためのものであり、本発明を限定するものではない。本発明は、その趣旨を逸脱することなく、変更、改良され得ると共に、本発明にはその等価物が含まれることは勿論である。
【符号の説明】
【００９５】
１  中水利用管理システム
２  中水道管理者
３  中水道施設
３１  中水貯留槽
３４  マイクロ水力発電機
４  中水利用施設
４１  常温中水タンク
４２  温中水タンク
４４  揚水ポンプ
４５  電磁バルブ
４６  電力貯蔵装置
４７  パワーコンディショナ
４７１  売電力量計
４７２  買電力量計
５  通信ネットワーク
１０  クライアント装置
１０１  情報取得部
１０４  装置制御部
２０  サーバ装置
２０３  中水利用予約処理部
２０４  揚水管理部
２０８  電力選択処理部
【図１】
0005143209.tif 000002
【図２】
0005143209.tif 000003
【図３】
0005143209.tif 000004
【図４】
0005143209.tif 000005
【図５】
0005143209.tif 000006
【図６】
0005143209.tif 000007
【図７】
0005143209.tif 000008
【図８】
0005143209.tif 000009
【図９】
0005143209.tif 000010
【図１０】
0005143209.tif 000011
【図１１】
0005143209.tif 000012
【図１２】
0005143209.tif 000013
【図１３】
0005143209.tif 000014